(57)【要約】【課題】  前置き台を移動せず納骨が容易であると共に、風の強い日や雨の日でも線香やロウソクの火が消えることなく、火も付け易くかつ線香・ロウソク立て台の掃除もし易い墓石とする。【解決手段】  墓石本体１の土台石２と下部台石３で納骨室４が形成され、下部台石３の前面壁に納骨室４に通じる開口部５が設けられ、開口部５の前面で土台石２上に前置き台１５が載置されている墓石について、前置き台１５を土台石２に前方へ傾倒可能に取り付ける。【選択図】  図２
2005320803.tif 000002
【特許請求の範囲】
【請求項１】
墓石本体の土台石と下部台石で納骨室が形成され、前記下部台石の前面壁に納骨室に通じる開口部が設けられ、この開口部の前面で土台石上に前置き台が載置されている墓石において、前記前置き台が土台石に前方へ傾倒可能に取り付けられていることを特徴とする墓石。
【請求項２】
土台石の前置き台の載置部に凹部が設けられ、この凹部の両側壁に前置き台の下部前方が回動可能に取り付けられ、前置き台が前方へ傾倒した時に、前置き台の前面が凹部の前部上角部に支承されることを特徴とする請求項１記載の墓石。
【請求項３】
前置き台は内部に中空部が形成されると共に、底面と背面が開放され、中空部に線香・ロウソク立て台が両側壁間に着脱可能に水平状態を維持するよう支承されると共に、前置き台の前面壁に通気孔が設けられ、前置き台が傾倒した時に内部の線香・ロウソク立て台が表れることを特徴とする請求項１又は２記載の墓石。
【請求項４】
納骨室の開口部に蓋が着脱可能に設けられ、この蓋に換気口が設けられていることを特徴とする請求項３記載の墓石。
【請求項５】
前置き台は花立てに形成されていることを特徴とする請求項１から４のいずれかに記載の墓石。
【発明の詳細な説明】
【技術分野】
【０００１】
本発明は、納骨が容易で、風の強い日や雨の日でも線香及びロウソクの火が消えることのない墓石に関するものである。
【背景技術】
【０００２】
従来、納骨室の開口部の前面に供物台、線香・ロウソク立て台、花立て台等の前置き台が土台石上に載置され、開口部が閉塞されている墓石にあっては、納骨に際して前置き台をずらして移動し取り除かなければならないが、前置き台は石製で非常に重く、取り除きや元に戻すのに大変な労力を必要としていたのである。
【０００３】
又、墓石の前面に線香・ロウソク立て台が設けられた墓石にあっては、晴れた穏やかな日であれば線香やロウソクの火が風で消えることはないが、風の強い日や雨の日では火がついても直ぐに消えたり、倒れたりしてなかなか最後まで燃え尽きることがなく、燃え残りの線香やロウソクがそのまま置かれて、墓前を汚す原因ともなっている。
【０００４】
そこで、従来に納骨に際して、前置き台を移動することなく、納骨室に納骨できるようにした墓石として、特開２００４ー１１３２０及び特開２０００ー２９１２９３の墓石が提案されている。
両者はともに、前置き台の前面に開口部を設けて、この開口部を通して納骨室内へ納骨するようにしたもので、前置き台の前部から納骨室の奥まで手が届き難い問題点を有している。
【０００５】
又、風の強い日や雨の日でも線香やロウソクの火が消えないようにしたものとして、特開平１０ー８８８６７の墓前箱が提案されている。
この墓前箱は、箱状の本体の底板に線香立て及びロウソク立てが収納されているもので、本体の扉を開けると内部に線香立て及びロウソク立てが置かれている。
したがって、火を付ける時は狭い箱内で火を付けなければならず、着火が難しいと共に線香の灰が残ったり、ロウソクが溶けて落ちたりした場合に、内部の掃除がし難い問題点を有している。
【特許文献１】特開２００４ー１１３２０
【特許文献２】特開２０００ー２９１２９３
【特許文献３】特開平１０ー８８８６７
【発明の開示】
【発明が解決しようとする課題】
【０００６】
上記点より本発明は、前置き台を移動せず納骨が容易であると共に、風の強い日や雨の日でも線香やロウソクの火が消えることがなく、火もつけ易くかつ線香・ロウソク立て台の掃除もし易い墓石を提供しようとするものである。
【課題を解決するための手段】
【０００７】
上記課題を解決するため請求項１記載の本発明墓石は、墓石本体の土台石と下部台石で納骨室が形成され、前記下部台石の前面壁に納骨室に通じる開口部が設けられ、この開口部の前面で土台石上に前置き台が載置されている墓石において、前記前置き台が土台石に前方へ傾倒可能に取り付けられていることを特徴とするものである。
【０００８】
このような構成とすることにより、納骨に際して前置き台を取り除かなくても、前置き台を前方へ傾倒するだけであるから、作業が容易で納骨を容易に行うことができる。
【０００９】
次に、請求項２記載の本発明墓石は、請求項１記載の墓石において、土台石の前置き台の載置部に凹部が設けられ、この凹部の両側壁に前置き台の下部前方が回動可能に取り付けられ、前置き台が前方へ傾倒した時に、前置き台の前面が凹部の前部上角部に支承されることを特徴とするものである。
【００１０】
このような構成とすることにより、前置き台が前方へ回動し傾倒した時に、前置き台の前面が凹部の前部上角部に支承されるため、傾斜状態で前置き台が固定され、前置き台を水平に傾倒した場合に比べ、元の状態に戻す時に起こし易い。
【００１１】
次に、請求項３記載の本発明墓石は、請求項１又は２記載の墓石において、前置き台は内部に中空部が形成されると共に、底面と背面が開放され、中空部に線香・ロウソク立て台が両側壁間に着脱可能に水平状態を維持するよう支承されると共に、前置き台の前面壁に通気孔が設けられ、前置き台が傾倒した時に内部の線香・ロウソク立て台が表れることを特徴とするものである。
【００１２】
このような構成とすることにより、前置き台は中空で底面と背面が開放されているため重量も軽くなり、前置き台の傾倒及び起立作業が容易となる。
そして、風の強い日や雨の日は前置き台を傾倒すれば、前置き台の内部の両側壁間に水平状態を維持するように支承された線香・ロウソク立て台が表れるから火も付け易く、線香及びロウソクを立てて火を付けた後、前置き台を起こせば、前置き台の内部で線香及びロウソクが燃えるため、風や雨の影響を受け消えることがない。
【００１３】
前置き台の前面壁に通気孔が設けてあるため、前置き台の内部に外部からの通気が行われると共に、前置き台の内部で燃える線香・ロウソクの煙は通気孔から外部へ排気される。又、通気孔から線香・ロウソクの燃える状態が確認できる。
線香・ロウソク立て台は着脱可能であるため、納骨の際には側壁から取り外すことができる。又、線香・ロウソク立て台の掃除に際しては、前置き台を傾倒して表れた状態で掃除しても良いが、取り外せば掃除がし易く便利である。
【００１４】
次に、請求項４記載の本発明墓石は、請求項３記載の墓石において、納骨室の開口部に蓋が着脱可能に設けられ、この蓋に換気口が設けられていることを特徴とするものである。
【００１５】
このような構成とすることにより、蓋があるため前置き台の通気孔を覗いた場合に、納骨室内を隠すことができる。
又、蓋に換気口が設けられているため、前置き台の通気孔からの空気が換気口から納骨室内に流通し、納骨室内の空気の入れ換えができ、除湿機能を有する。
【００１６】
次に、請求項５記載の本発明墓石は、請求項１から４のいずれかに記載の墓石において、前置き台は花立てに形成されていることを特徴とするものである。
【００１７】
このような構成とすることにより、花立てが傾倒できるので利便性が高まる。
【発明の効果】
【００１８】
請求項１記載の本発明墓石によれば、納骨に際して前置き台を取り除かなくても、前置き台を前方へ傾倒するだけであるから作業が容易で、納骨を容易に行うことができる効果を有する。又、前置き台を取り除かないので安全性も高い。
【００１９】
請求項２記載の本発明墓石によれば、前置き台が前方へ回動し傾倒した時、前置き台の前面が凹部の前部上角部に支承されるため、傾斜状態で前置き台が固定され、前置き台を元の状態に戻す時に起こし易い効果を有する。
【００２０】
請求項３記載の本発明墓石によれば、前置き台は中空で底面と背面が開放されているため重量も軽くなり、前置き台の傾倒及び起立作業が容易となる効果を有する。
又、風の日や雨の日は前置き台の内部の線香・ロウソク立て台に線香・ロウソクを燃やすことができるので、風や雨の影響を受け火が消えることがなく便利である。
通気孔から線香及びロウソクの燃える状態が確認できると共に、線香・ロウソク立て台は着脱可能であるため取り外して掃除ができ、便利な効果を有する。
【００２１】
請求項４記載の本発明墓石によれば、蓋があるため前置き台の通気孔を覗いた場合に、納骨室内を隠すことができると共に、蓋に換気口が設けられているため納骨室内の換気ができ、納骨室内の除湿効果を有する。
【００２２】
請求項５記載の本発明墓石によれば、花立てが傾倒できるので利便性が高まる効果を有する。
【発明を実施するための最良の形態】
【００２３】
以下、本発明の一実施の形態を図面を参照して説明する。
図１は本発明墓石の前置き台が起立した状態を示す一部縦断側面図、図２は同上の前置き台が傾倒した状態を示す一部縦断側面図、図３は納骨時の斜視図、図４は前置き台の斜視図、図５は線香・ロウソク台の斜視図、図６は蓋の斜視図である。
【００２４】
本発明墓石は、墓石本体１の土台石２と、土台石２上の内部が中空で底面が開放された下部台石３とで納骨室４が形成され、下部台石３の前面壁に納骨室４に通じる方形の開口部５が形成されている。
開口部５に開口部５を塞ぐ方形の板状の蓋６が設けられ、この蓋６は開口部５の内側に嵌められるもので、蓋６の上面の中央部に突部７が設けられ、この突部７が遊嵌される溝孔８が開口部５の上辺に形成されている。そして、蓋６の前面壁の中央部に凹んだ手掛け部９が形成されている。
【００２５】
又、開口部５の下辺（土台石２の上面）上に左右方向に蓋６の下部が納骨室４内に入らないようストッパー１０が突設されている。
蓋６は、取り付ける時は手掛け部９に手を掛け、蓋６の突部７を開口部５の上辺の溝孔８に嵌入し、蓋６の上面を開口部５の上辺に当て、そのまま蓋６の下部をストッパー１０に押し当てる。
蓋６を取り外す時は、手掛け部９に手を掛け蓋６を上方へ浮かせながら前方へ引き出せば、突部７が溝孔８から外れ蓋６は外れる。したがって、蓋６は開口部５に対して浮かす寸法分だけ僅かに隙間が設けられている。
【００２６】
又、蓋６の上部の左右に換気口１１が貫穿されている。
換気口１１には円筒１２が挿通され、円筒１２の前部口端に網状のフィルター１３が張設されている。
【００２７】
下部台石３の前部で土台石２に方形の凹部１４が形成されている。この凹部１４内に開口部５を閉塞する前置き台１５が設けられている。前置き台１５としては供物台、線香・ロウソク立て台、花立て台等が挙げられる。
本発明の前置き台１５は、中央台部１６の両側に花立て穴１７ａを有する花立て部１７を一体に設けた花立てに構成されている。
中央台部１６は内部に中空部１８を有し、底面と背面が開放された方形の箱形状で、前面壁に透かし彫り等で模様を表した通気孔１９が多数設けられている。
【００２８】
中央台部１６の上面は平坦に形成され、この平坦部に従来通りの構成の線香立て２０及びロウソク立て２１が固着されている。
中央台部１６の前面下部で、花立て部１７の前面の下端部よりやや上方位置に、上面が水平な前部台２２が中央台部１６及び花立て部１７と一体に前方へ向け突設されている。
【００２９】
この前部台２２の基部両側部の対向位置に、対向位置に向けて同一線上に下面が開放された係合溝２３が形成されている。
前部台２２の下面は両側の係合溝２３を覗いて、前部より花立て部１７の下端部の前端に向け弧状の前部傾斜面２４が形成され、花立て部１７の後面下角部は切除され、後部傾斜面２５が形成されている。
【００３０】
凹部１４の内側の両側壁に前置き台１５の係合溝２３に係合する支軸２６が突設されている。前置き台１５はその両側に設けた係合溝２３が支軸２６に係合し、支軸２６を支点として前方へ回動し傾倒する。
傾倒した時に、前置き台１５の前面壁は土台石２の凹部１４の前部上角部１４ａに支承され固定される。
前置き台１５の下面は凹部１４の床面から僅かに間隔がおかれ、前置き台１５の後部が下部台石３の前面壁に垂直状態で立て掛けられているが、前置き台１５の下面が凹部１４の床面に接地しても良い。
前置き台１５は上方へ持ち上げれば、係合溝２３の下面が開放されているため、支軸２６との係合が外れ、取り除くことは可能である。
【００３１】
前置き台１５の中空部１８の下方に、上面が平坦で左右方向に長い線香・ロウソク立て台２７が設けられている。
線香・ロウソク立て台２７は両側部の上部中央部に支軸２８が突設され、この支軸２８は前置き台１５の中央台部１６の内側両側壁の後端部から側壁の中央部下方に向け、傾斜して切り込まれたガイド溝２９内の下端部にスライド自在に嵌入されている。
【００３２】
そして、このガイド溝２９は前置き台１５が前方へ傾倒した時に、略垂直状態となるように傾斜角度が設定され、この状態で線香・ロウソク立て台２７はガイド溝２９に沿って着脱可能となる。
又、線香・ロウソク立て台２７は、線香・ロウソク立て台２７の両側部の上部中央部に設けられた支軸２８により両側壁間に吊設された状態で支承され、重心が下部にかかり、上面が水平状態を維持するように構成され、前置き台１５が前方へ傾倒した場合においても線香・ロウソク立て台２７の上面が水平状態を維持する。
【００３３】
線香・ロウソク立て台２７の上面に従来通りの構成の線香立て３０及びロウソク立て３１が固着されている。
又、線香・ロウソク立て台２７の上面の両側に凹んだ穴３３が設けられ、この穴３３は花立て部１７の花立て穴１７ａに嵌合されるステンレス等の金属製の花立て筒３４を不使用時に立てて片付けるためのものである。
尚、図中３２は土台石２の凹部１４の内側壁より外側に貫穿した排水口であり、凹部１４内の雨水等は土台石２の外部へ排水される。
【００３４】
次に、このような構成を有する本発明墓石の使用方法を図面に基づき説明する。
納骨に際して、前置き台１５の上部を前方へ倒すように傾斜すれば、前置き台１５の係合溝２３が支軸２６に係合していることにより、前置き台１５は回動し、前置き台１５の前面壁が土台石２の凹部１４の前部上角部１４ａに当たり、上角部１４ａに支承される（図２）。
前置き台１５の傾倒により、中空部１８に設けられた線香・ロウソク立て台２７は、前置き台１５の背面が開放されているので外部に表れる。
この時、ガイド溝２９は略垂直状態となっているので、線香・ロウソク立て台２７を上方へ持ち上げれば、線香・ロウソク立て台２７の支軸２８がガイド溝２９に沿ってスライドし、ガイド溝２９から支軸２８を外し、線香・ロウソク立て台２７を両側壁から取り外す。
【００３５】
そして、納骨室４の開口部５の蓋６の手掛け部９に手を掛け、蓋６を上方へ浮かせながら前方へ引き出せば、蓋６の上面の突部７が開口部５の溝孔８から外れ、蓋６を取り外せるから納骨室４への納骨が可能となる。
【００３６】
納骨が終われば、蓋６の突部７を開口部５の溝孔８に嵌入して、蓋６を取り付け、次いで線香・ロウソク立て台２７の両側の支軸２８をガイド溝２９の後端部から嵌入し、線香・ロウソク立て台２７を前置き台１５の中空部１８の両側壁間に支承させた後、前置き台１５を起こし元の状態に戻す。
【００３７】
又、風の強い日や雨の日の墓参りの時は、前置き台１５を傾倒して、前置き台１５の中空部１８の線香・ロウソク立て台２７を出現させ、線香立て３０及びロウソク立て３１に線香とロウソクを立てて火を付け、前置き台１５を起こして使用する。
【００３８】
以上、本発明を実施形態に基づき具体的に説明したが、本発明は上記実施形態に限定されるものではなく、例えば、土台石２に凹部１４を設けずに、土台石２上で傾倒できるよう土台石２上で前置き台１５の両側に軸受けを設けて、前置き台１５の両側の下部前方に支軸２６を取り付け、傾倒時は土台石２上の前部に前置き台１５の前面壁が当たり、前置き台１５を支承する凸部を設けても良い。この場合は、前置き台１５の下面は土台石２上に接地させた方が安定感がある。
又、前置き台１５側に支軸２６を設け、土台石２の凹部１４の両側壁に支軸２６が嵌入する垂直な溝を設けることもできる等、本発明の趣旨を逸脱しない範囲内で種々の改良変形が可能である。
【図面の簡単な説明】
【００３９】
【図１】本発明墓石の一実施の形態を示す一部縦断側面図である。
【図２】本発明墓石の一実施の形態を示す一部縦断側面図である。
【図３】本発明墓石の納骨時の斜視図である。
【図４】本発明墓石の前置き台の斜視図である。
【図５】本発明墓石の線香・ロウソク立て台の斜視図である。
【図６】本発明墓石の蓋の斜視図である。
【符号の説明】
【００４０】
１  墓石本体
２  土台石
３  下部台石
４  納骨室
５  開口部
６  蓋
１１  換気口
１４  凹部
１５  前置き台
１７  花立て部
１８  中空部
１９  通気孔
２３  係合溝
２６  支軸
２７  線香・ロウソク立て台
２８  支軸
２９  ガイド溝
【図１】
2005320803.tif 000003
【図２】
2005320803.tif 000004
【図３】
2005320803.tif 000005
【図４】
2005320803.tif 000006
【図５】
2005320803.tif 000007
【図６】
2005320803.tif 000008